(57)【特許請求の範囲】
【請求項１】
襖や屏風、あるいは、壁面や天井面等に描かれた日本絵画等の箔を貼り付けた絵画を複製した印刷物であって、当該印刷物は、矩形状の１枚の紙または木材から成る基材の一方の全面に碁盤の目状を成すアタリ罫線を備え、当該アタリ罫線に従って接着層を介して前記基材の一方の全面を覆うように貼着された矩形状の金箔または銀箔または洋金から成る箔の上に、インクジェット印刷により絵柄印刷層を形成し、前記箔の上にインクジェット印刷により光沢遮蔽層を形成し、前記光沢遮蔽層上に前記絵柄印刷層を形成した絵柄領域と、前記箔の上に前記絵柄印刷層を形成した古色絵柄領域を有することを特徴とする印刷物。
【請求項２】
前記絵柄印刷層上にコーティング層を形成したことを特徴とする請求項１に記載の印刷物。
【請求項３】
前記絵柄印刷層および前記光沢遮蔽層は、紫外線硬化型インクジェットインキで形成されることを特徴とする請求項１または請求項２のいずれかに記載の印刷物。
【請求項４】
前記光沢遮蔽層は、酸化チタン顔料を成分とする不透明の紫外線硬化型インクジェットインキで形成されることを特徴とする請求項１乃至請求項３のいずれかに記載の印刷物。
【請求項５】
前記光沢遮蔽層の印刷階調を変化させることにより前記絵柄領域における前記箔の透過性を変化させることを特徴とする請求項１乃至請求項４のいずれかに記載の印刷物。
【請求項６】
前記紙基材は和紙であることを特徴とする請求項１乃至請求項５のいずれかに記載の印刷物。
【発明の詳細な説明】
【技術分野】
【０００１】
本発明は、金箔等の箔を貼り付けた印刷物に関し、さらに詳しくは、襖や屏風、あるいは、壁面や天井面等に描かれた日本絵画等の金箔を貼り付けた絵画を複製した印刷物に関する。
【背景技術】
【０００２】
襖や屏風、あるいは、壁面や天井面等に金箔を貼り付けるとともに極彩色に描かれた日本絵画等の文化遺産は、温度や湿度、あるいは、太陽光等の自然界の影響を長い年月受けるとともに、大気汚染等の影響を受けて老朽化が年々進んでいく。これを後世に如何にして残していくかが深刻な状況下にある。
【０００３】
そこで、老朽化した文化遺産の修復を進める一方で、老朽化した実物を収蔵庫等に大切に保管するとともに、老朽化した実物を複製物に置き換える動きが活発化している。
【０００４】
ところで、実物の複製物は、今までのところ通常、現状（現物）模写ないし再現模写が主流だった。模写は一つ一つ手書きであるために制作日数が極端に長く、また、制作費用も莫大であるとともに、模写する画家の解釈や主観が入った複製物となり、実物を描いた作者が実物に込めた意図が表現されない場合もある。特に、現状（現物）模写は、現在見られる箔の微妙な汚れや変色を忠実に再現することは極めて難しいという問題がある。
【０００５】
また、模写による複製物は、地震、台風等の自然災害や火災、人的毀損等の人的災害に対して無防備であり、一度被害が発生すると実物から再度模写する必要があり、上記に説明した模写の問題が再び発生してしまう。また、この場合には、実物が収蔵庫等に大切に保管されているとはいっても、老朽化は更に進んでおり、現状（現物）模写ないし再現模写のいずれで模写をするにしても最初の模写に増して困難な作業となる。
【０００６】
そこで、本出願人は、先に、紙基材上に、接着剤層を介して金箔を貼り付けた部分と、金箔を貼り付けない部分を設け、金箔を貼り付けない部分にインクジェット印刷により絵柄印刷層を形成するとともに、金箔を貼り付けた部分にはオフセット印刷により絵柄印刷層を形成する方法を提案した（特許文献１）。
この方法により、前述した現状（現物）模写あるいは再現模写で起こる制作日数、制作費用、現物への忠実さといった問題をある程度解決することが可能になった。
【特許文献１】特開２００７−１１８２１９号公報
【発明の開示】
【発明が解決しようとする課題】
【０００７】
しかしながら、上記の方法は、オフセット印刷により金箔上への絵柄印刷形成を行うため、印刷有効面積に限度があり、例えば襖大等の大きな基材への印刷ができないという問題があった。大型の複製物を制作する場合には、複数の小型の印刷物を継ぎ合わせて作成する必要が生じ、個々の印刷物の色のばらつきや、つなぎ目等の問題が生じる。
さらに、金箔を貼り付けた部分と貼り付けない部分があるため、金箔のない部分の絵柄印刷層では厚みのある表現ができないという問題があった。
【０００８】
本発明は、このような問題に鑑みてなされたもので、その目的とするところは、大型の基材に貼着した金箔上に絵柄を印刷し、襖絵や屏風絵、壁面・天井の日本絵画等をより忠実に表現可能な印刷物およびその製造方法を提供することにある。
【課題を解決するための手段】
【０００９】
前述した課題を解決するための第１の発明は、襖や屏風、あるいは、壁面や天井面等に描かれた日本絵画等の箔を貼り付けた絵画を複製した印刷物であって、当該印刷物は、矩形状の１枚の紙または木材から成る基材の一方の全面に碁盤の目状を成すアタリ罫線を備え、当該アタリ罫線に従って接着層を介して前記基材の一方の全面を覆うように貼着された矩形状の金箔または銀箔または洋金から成る箔の上に、インクジェット印刷により絵柄印刷層を形成し、前記箔の上にインクジェット印刷により光沢遮蔽層を形成し、前記光沢遮蔽層上に前記絵柄印刷層を形成した絵柄領域と、前記箔の上に前記絵柄印刷層を形成した古色絵柄領域を有することを特徴とする印刷物である。
また、絵柄印刷層上にはコーティング層を形成してもよい。絵柄印刷層は、紫外線硬化型インクジェットインクで形成され、光沢遮蔽層は、酸化チタン顔料を成分とする不透明の紫外線硬化型インクジェットインキで形成されることが望ましい。
上記の構成を採ることにより、現状の実物を忠実に再現した印刷物を得ることが可能になる。
【発明の効果】
【００１２】
本発明によれば、襖や屏風、あるいは天井面や壁面等に金箔を貼り付け、極彩色に描かれた日本絵画等の絵画の複製物として、より忠実に実物を表現した印刷物を得ることが可能になる。また、本印刷物を製造する過程において、実物の画像情報をデジタルデータとして取り込むので、災害等により複製した印刷物が損傷あるいは消滅しても、容易に再生することが可能である。さらに、本発明の製造方法を採ることにより、制作日数が短く、制作費用も安価になるという効果がある。
【発明を実施するための最良の形態】
【００１３】
以下、図面に基づいて本発明の好適な実施形態について詳細に説明する。
図１は、本実施の形態の印刷物１の一実施例を示す正面図、図２は、図１のＡ−Ａ線の断面図である。
【００１４】
図中の１は印刷物、３は基材、５は金箔、９、９’は絵柄層、１１は古色絵柄層、１５はアタリ罫線をそれぞれ示す。
【００１５】
印刷物１は、襖や屏風、あるいは壁面や天井面等に金箔を貼り付けるとともに極彩色で描かれた日本絵画等の絵画の複製物である。基材３は、例えば和紙等の紙基材、または、杉板等の木材基材であり、基材３上に印刷された碁盤の目状のアタリ罫線１５に従って金箔５が基材３の全面に貼着されている。アタリ罫線１５については後述する。
【００１６】
金箔５上には絵柄層９、９’および古色絵柄層１１が形成される。
絵柄層９、９’は花鳥風月などが極彩色で描かれた部分であり、通常、絵柄層９、９’の下にある金箔５は見えないか、または少し透けて見える状態である。一方、古色絵柄層１１は、長い年月の間に金箔５に付着した汚れやシミを模した印刷部分であってもよいし、花鳥風月等であってもよく、古色絵柄層１１の下には金箔５が透けて見える。
【００１７】
図２は、図１のＡ−Ａ線の断面図である。
基材３上の全面には金箔５が貼着されている。絵柄層９、９’の領域は、金箔５上にまず金箔５の光沢を遮蔽する光沢遮蔽層７、７’が設けられ、その上に絵柄層９、９’が印画される。
一方、古色絵柄層１１の領域では、金箔５の上に直に印画が施される。
そして、絵柄層９、９’および古色絵柄層１１上はコーティング層１３により覆われる。ここで、コーティング層１３は耐光性、耐水性をより高める効果を持つが、無くてもよい。
【００１８】
本実施の形態の印刷物の製造方法では、大型のフラットベットタイプ紫外線硬化型インクジェット印刷機を使用する。そして、カラー印刷を行うための紫外線硬化型顔料インクジェットインキ（シアン、マゼンダ、イエロー、ブラック、ライトシアン、ライトマゼンダ）は透過性を持つため、印画層の下地が透けて見える。よって、例えば極彩色の花鳥風月等の絵柄部分である絵柄層９、９’の領域では、例えば白色の不透明インキで金箔５の光沢を遮蔽する光沢遮蔽層７を印画し、その上に上記の透明のカラーインキで絵柄層９、９’を印画する。
【００１９】
一方、古色絵柄層１１の領域では、金箔５の上に直に透過性のカラーインキによる絵柄の印画を行う。従って古色絵柄層１１の領域では金箔５の光沢が透けて見える。
このような古色絵柄層１１の印画は、長い年月を経ることによる金箔５に付着した汚れやシミの表現に適している。
【００２０】
また、図２の絵柄層９'の下部に印画されている光沢遮蔽層７'に示すように、光沢遮蔽層７'の厚さを変化させることにより（白色不透明インキの印画階調を変化させることにより）、絵柄層９'下部の金箔５の光沢が徐々に見えなくなる（見えるようになる）グラデーションを施した印刷物１も作成可能である。
【００２１】
絵柄層９、９’および古色絵柄層１１の印画に用いる紫外線硬化型の印刷インキとしては、印刷物１が通常の一般家屋の屋内に置かれた状態下で経時的（年単位）な変色や褪色が極めて少ないものを用いる必要がある。
これに適合する顔料としては、高級有機顔料および無機顔料が挙げられる。高級有機顔料としては、例えば、黄系顔料にはイソインドリノン系、ベンズイミダゾロン系、スレン系、モノアゾ系、縮合アゾ系等、紅および赤系顔料にはキナクリドン系、モノアゾ系、縮合アゾ系、ぺリレン系等、橙系顔料には、イソインドリノン系、ベリノン系等、青、藍および緑系顔料にはフタロシアニン系等、紫系顔料には、ジオキサジン系、キナクリドン系等がある。また、無機顔料としては、例えば、黄系顔料として黄鉛、黄色酸化鉄、カドミウムイエロー等、赤系顔料として弁殻、カドミウムレッド等、青および紫系顔料として群青、紺青、酸化クロム、コバルトブルー、コバルトグリーン、マンガンバイオレット等がある。墨系顔料としてはカーボンブラック、白系顔料としては酸化チタンが挙げられる。この他に、アルミニウム粉、ブロンズ粉等の金属粉、あるいは、炭酸カルシウム、硫酸バリウム、アルミナホワイト、シリカ等の体質顔料を上げることもできる。
【００２２】
本実施の形態の印刷物１では、前述のように、紫外線硬化型インクジェット印刷機と、紫外線硬化型顔料インクジェットインキ（シアン、マゼンダ、イエロー、ブラック、ライトシアン、ライトマゼンダ、ホワイト）を使用可能である。
【００２３】
上述のような高耐光性の紫外線硬化型インクジェットインキを使用して絵柄層９、９'および古色絵柄層１１を形成することにより、通常の一般家屋の屋内に置かれた状態の下では約１００年に渡って変色、退色が極めて少ない印刷物１を得ることが可能である。
また、上述のような大型の紫外線硬化型インクジェット印刷機による印刷により、紙継ぎ加工をすることなく、襖大（９００×１８００mm）の印刷物１を制作することが可能である。
【００２４】
次に、図１、図２に示す本実施の形態の印刷物１の製造方法について説明する。
【００２５】
まず、襖や屏風、天井、壁面に描かれた実物の美術品をデジタルアーカイブスキャナで撮影し、色分解してＣＭＹＫ（シアン、マゼンダ、イエロー、ブラック）の画像データを得る。
【００２６】
次に、この画像データを元に、紫外線硬化型インクジェット印刷機に送る印画データ（基本のＣＭＹＫおよび特色（ライトシアン、ライトマゼンダ、ホワイト））を作成する。
印画データは、金箔５を基材３に貼り付ける際のアタリ罫線１５となる例えばグレー色のアタリ罫線印刷データと、光沢遮蔽層７を形成するためのホワイト印刷データと、光沢遮蔽層７上に絵柄層を形成する絵柄印刷データ、金箔５上に古色絵柄層１１を形成する古色絵柄印刷データからなる。
【００２７】
アタリ罫線１５は、矩形の金箔５を接着剤で紙または木材からなる基材３に例えば手作業で貼り付ける際の目安となる碁盤の目状の罫線である。目立たない色、例えばグレー色とする。
【００２８】
ホワイト印刷データは、印刷物１上で金箔５の光沢を遮蔽する部分（絵柄層９、９'の領域）に印画する光沢遮蔽層７の印画データである。不透明の白色インキ（例えば酸化チタン顔料を成分とするホワイトインキ）で印画することにより金箔５の光沢が遮蔽される。
ここで完全に光沢を遮蔽する場合（絵柄層９）にはホワイトインキのベタ印画データとし、金箔５を若干透過させる場合（絵柄層９'）にはホワイトインキの階調変化のある印刷データとする。
【００２９】
また、光沢遮蔽層７の位置に印画する絵柄層９、９'として絵柄印刷データが作成される。アーカイブスキャナで色分解したＣＭＹＫの印刷データと、ＣＭＹＫの基準色では表現できない色を表現するための特色（例えばライトシアン、ライトマゼンダ等）の印画データからなる。
【００３０】
また、金箔５の上に直に印画する古色絵柄層１１の印画データとして古色絵柄印刷データが作成される。これもアーカイブスキャナで色分解したＣＭＹＫの印刷データと、ＣＭＹＫの基準色では表現できない色を表現するための特色（例えばライトシアン、ライトマゼンダ等）の印画データからなる。
【００３１】
これらの印刷データを元に、印刷物１が製造される。
まず、大型フラットベットタイプ紫外線硬化型インクジェット印刷機に紙基材３または木材基材３を設置し、アタリ罫線印刷データによりアタリ罫線１５を印刷する。
次に、アタリ罫線１５を印刷した基材３を取り出し、砂子糊、布糊、姫糊、
膠、樹脂糊などの糊を用い金箔５を基材３上全面に貼り付ける。ここでは金箔５としたが、金箔５に限らず、銀箔、洋金を用いてもよい。
【００３２】
次に、全面に金箔５が貼着された基材３を再び大型フラットベットタイプ紫外線硬化型インクジェット印刷機に設置し、印刷機にホワイト印刷データを送り、光沢遮蔽層７を印画する。金箔５の光沢遮蔽度の必要性に応じて、不透明のホワイトインキによる印画が２、３回繰り返えされる。繰り返し印画することにより、光沢遮蔽度が増す。
【００３３】
次に、大型フラットベットタイプ紫外線硬化型インクジェット印刷機に絵柄印刷データを送り、光沢遮蔽層７上に絵柄層９を形成する。
これにより、例えば極彩色の花鳥風月の絵柄が基材３上に印画される。金箔５の光沢を遮蔽しているので、色鮮やかな印画が可能である。
【００３４】
次に、大型フラットベットタイプ紫外線硬化型インクジェット印刷機に古色絵柄印刷データを送り、金箔５上に古色絵柄層１１を形成する。
各色のインキは透明であり、下地の金箔５が透けて見える絵柄を印刷可能である。長い年月により金箔に付着した汚れやシミ等を印画することが可能である。
【００３５】
以上の処理により、印刷物１が製造されるが、より一層の耐光性、耐水性を維持するために、印刷物１の表面（絵柄層９、９’、古色絵柄層１１、金箔５の露出部分）にウレタン樹脂を主成分とするコーティング剤（例えば、サンユーペイント製セラウッドＣＷＨ−９０）をコーターで塗布し、コーティング層１３を形成することが望ましい。
【００３６】
以上のように、本発明によれば、襖や屏風、あるいは、壁面や天井面等に金箔を貼り付け、極彩色に描かれた日本絵画等の美術品の複製物を、より忠実に実物を表現した印刷物として得ることが可能になる。
また、金箔５の接着以外の絵画部分の印画をすべて大型のインクジェット印刷機で行うことにより、例えば襖大の大型の絵画を紙継ぎ加工なしに印刷することが可能になるとともに、印刷時間および印刷コストを削減できる。
【００３７】
尚、本発明は、前述した実施の形態に限定されるものではなく、種々の改変が可能であり、それらも、本発明の技術範囲に含まれる。
【図面の簡単な説明】
【００３８】
【図１】本実施の形態の印刷物１を示す正面図
【図２】図１のＡ−Ａ線の断面図
【符号の説明】
【００３９】
１………印刷物
３………基材
５………金箔
７………光沢遮蔽層
９、９’………絵柄層
１１………古色絵柄層
１３………コーティング層
【図１】
0005303956.tif 000002
【図２】
0005303956.tif 000003